(57)【要約】【課題】被包装物と別体小物とが一緒に包装可能に構成され、別体小物が被包装物の平坦面上で移動可能であるような包装体を得ることができる、包装装置及び包装方法を提供する。【解決手段】被包装物１１０の装填されたフィルム帯状体１０１を搬送する搬送機構４０，６０と、フィルム帯状体の折り合わせ部１ｈにおいて搬送方向Ｘに沿って溶着部１ｃ，１ｄを形成する溶着機構３０と、搬送方向の直交方向にフィルム帯状体を溶断する溶断機構５０と、搬送機構と溶着機構と溶断機構との各動作を制御する制御部と、を備える包装装置において、制御部は、折り合わせ部において溶着部が形成される予定の予定溶着部１ｍに沿った所望の場所に、溶着されない非溶着部１ｆを形成するように、搬送機構及び溶着機構の各動作を制御する。【選択図】図６
2015151149.tif 000002
【特許請求の範囲】
【請求項１】
被包装物が装填されたフィルム帯状体を搬送する搬送機構と、
前記フィルム帯状体の折り合わせ部において搬送方向に沿って溶着部を形成する溶着機構と、
搬送方向の直交方向に前記フィルム帯状体を溶断する溶断機構と、
前記搬送機構と前記溶着機構と前記溶断機構との各動作を制御する制御部と、を備えて、前記フィルム帯状体の中に前記被包装物が包装された包装体を作成する包装装置において、
前記制御部は、前記折り合わせ部において前記溶着部が形成される予定の予定溶着部に沿った所望の場所に、溶着されない非溶着部を形成するように、前記搬送機構及び前記溶着機構の各動作を制御する、包装装置。
【請求項２】
請求項１に記載の包装装置において、
前記被包装物が装填されている前記フィルム帯状体に対して、前記溶着機構の溶着部材の当接及び離間のタイミングを制御することによって、前記非溶着部が形成される、包装装置。
【請求項３】
請求項１に記載の包装装置において、
前記非溶着部が、前記被包装物の平坦面に対面する部分に形成される、包装装置。
【請求項４】
請求項１に記載の包装装置において、
前記非溶着部が、或る包装体よりも１つ前の包装体の後端を溶断したときに事前に形成される前方溶着部に続けて形成される、包装装置。
【請求項５】
請求項１に記載の包装装置において、
前記非溶着部を有する前記包装体を作成した後に、前記非溶着部を接着する事後接着手段を備える、包装装置。
【請求項６】
被包装物が装填されたフィルム帯状体を搬送する搬送工程と、
前記フィルム帯状体の折り合わせ部において搬送方向に沿って溶着部を形成する溶着工程と、
搬送方向の直交方向に前記フィルム帯状体を溶断する溶断工程と、を備えて、前記フィルム帯状体の中に前記被包装物が包装された包装体を作成する包装方法において、
前記折り合わせ部において前記溶着部が形成される予定の予定溶着部に沿った所望の場所に、溶着されない非溶着部を形成する非溶着工程を、さらに備える、包装方法。
【請求項７】
請求項６に記載の包装方法において、
前記被包装物が装填されている前記フィルム帯状体に対して、溶着部材の当接及び離間のタイミングを制御することによって、前記非溶着部が形成される、包装方法。
【請求項８】
請求項６に記載の包装方法において、
前記非溶着部が、前記被包装物の平坦面に対面する部分に形成される、包装方法。
【請求項９】
請求項６に記載の包装方法において、
前記非溶着部が、或る包装体よりも１つ前の包装体の後端を溶断したときに事前に形成される前方溶着部に続けて形成される、包装方法。
【請求項１０】
請求項６に記載の包装方法において、
前記非溶着部を有する前記包装体を作成した後に、前記非溶着部を接着する事後接着工程を備える、包装方法。
【請求項１１】
フィルム帯状体と、
被包装物が装填されている前記フィルム帯状体の折り合わせ部において搬送方向に沿って形成された溶着部と、
搬送方向の直交方向に前記フィルム帯状体を溶断することによって形成された溶断部と、を備える包装体において、
前記折り合わせ部において前記溶着部が形成される予定の予定溶着部に沿った所望の場所に、前記被包装物よりも小さな物品を装填可能なサイズに開口した非溶着部が形成されている、包装体。
【請求項１２】
請求項１１に記載の包装体において、
前記非溶着部が、前記被包装物の平坦面に対面する部分に形成される、包装体。
【発明の詳細な説明】
【技術分野】
【０００１】
この発明は、樹脂製フィルムの中に被包装物が包装された包装体を作成する、包装装置及び包装方法に関する。
【背景技術】
【０００２】
ダイレクトメール等で使用される樹脂フィルム製の封筒は、例えば、ロール状に巻回されたフィルム帯状体を折り畳み装置を用いて折り畳む工程、溶着機構を用いてフィルム帯状体の重ね合わせ部を溶着する工程、溶断機構を用いてフィルム帯状体の搬送方向下流側端部を溶断する工程、被包装物をその中に装填する工程、及び、溶断機構を用いてフィルム帯状体の搬送方向上流側端部を溶断する工程を繰り返すことにより作成されている（例えば、特許文献１を参照）。
【０００３】
ダイレクトメール等で使用される樹脂フィルム製の封筒の中は、雑誌やカタログやパンフレットのような平坦な紙類が被包装物として包装されていることが一般的である。ボールペンや健康食品等の記念品や販促品や試供品のような、被包装物とは別体であり且つ被包装物よりも小さな物品（以下、別体小物という。）が、該被包装物と一緒に包装されるような包装体に対するニーズがある。
【０００４】
別体小物が被包装物の平坦面の上に装填された包装体を作成する場合、別体小物のところで局部的な隆起を生じてしまうため、被包装物の平坦面が、別体小物の高さに対応した段差を有する。そのため、別体小物が被包装物に対して予め装填された包装体では、被包装物の平坦面での平坦性が損なわれている。
【０００５】
被包装物の平坦面の上に別体小物を予め装填して被包装物の平坦面が段差を有する状態で溶着を行うと、包装装置の搬送工程において、被包装物の平坦面の上に装填された別体小物が、被包装物の平坦面の上で動いてしまう。そのため、溶着機構の溶着刃を適切な溶着位置に決めることが難しいという問題がある。また、別体小物を予め装填することによって段差を有する包装体では、搬送ローラ対でのニップ部や溶着刃等によって、別体小物が破損する恐れがあるという問題もある。以上のことから、被包装物及び別体小物が予め一緒に包装されて被包装物の平坦面に段差を有する包装体を作成することが困難であるというのが現状である。
【０００６】
ところで、特許文献２は、商品を熱収縮性フィルムで収縮包装する包装装置において、溶断刃に設けられた切断刃によって、商品の突出部が位置する部分に、溶着を行わないことで開口した切断縁部を形成することを開示する。特許文献２の包装装置は、商品の一部分から突出した突出部を有しており、切断縁部を通じて突出部をフィルムの外側に出した形態で包装するためのものである。
【先行技術文献】
【特許文献】
【０００７】
【特許文献１】特開２０１３−１２１８７９号公報
【特許文献２】特開平０６−３２３３０号公報
【発明の概要】
【発明が解決しようとする課題】
【０００８】
特許文献２において、開口した切断縁部は、フィルムの中に装填された或る商品の突出部をフィルムの外側に出すための窓である。当該或る商品における、突出部の位置が一義的に定まっており、該或る商品においては、商品本体と突出部との位置関係が不変であり、突出部が商品本体上で移動することはない。そのため、特許文献２では、開口した切断縁部を形成するための手段として、切断刃が溶断刃に固定して取り付けられた構成が用いられている。
【０００９】
特許文献２において、突出部は、該或る商品の一部分を構成するものであって商品本体とは一体であるため、突出部が、商品本体に対して移動することは決して無い。したがって、特許文献２は、該或る商品の平坦面の上に予め装填されて該平坦面の上で移動可能であるような別体小物を包装対象とするものではない。
【００１０】
また、特許文献２では、開口した切断縁部が、搬送方向上流側の側面に形成されており、該或る商品の平坦面に対面する部分に形成されていない。
【００１１】
以上のように、発明者は、上記特許文献２のように、側面の切断縁部を通じて突出部をフィルムの外側に出しながら、商品本体に対する突出部の位置が一義的に定まっている商品を包装する包装装置に関する先行技術文献を知っている。しかしながら、被包装物と別体小物とが一緒に包装可能に構成され、別体小物が被包装物の平坦面上で移動可能であるような包装体を作成するための、包装装置及び包装方法に関する先行技術文献の存在を発明者は知らない。
【００１２】
したがって、この発明の解決すべき技術的課題は、被包装物と別体小物とが一緒に包装可能に構成され、別体小物が被包装物の平坦面上で移動可能であるような包装体を得ることができる、包装装置及び包装方法を提供することである。
【課題を解決するための手段】
【００１３】
上記技術的課題を解決するために、この発明によれば、以下の包装装置及び包装方法が提供される。
【００１４】
すなわち、この発明の包装装置は、
被包装物が装填されたフィルム帯状体を搬送する搬送機構と、
前記フィルム帯状体の折り合わせ部において搬送方向に沿って溶着部を形成する溶着機構と、
搬送方向の直交方向に前記フィルム帯状体を溶断する溶断機構と、
前記搬送機構と前記溶着機構と前記溶断機構との各動作を制御する制御部と、を備えて、前記フィルム帯状体の中に前記被包装物が包装された包装体を作成する包装装置において、
前記制御部は、前記折り合わせ部において前記溶着部が形成される予定の予定溶着部に沿った所望の場所に、溶着されない非溶着部を形成するように、前記搬送機構及び前記溶着機構の各動作を制御する。
【００１５】
この発明の包装装置では、折り合わせ部において溶着部が形成される予定の予定溶着部に沿った所望の場所に、溶着されない非溶着部が形成される。非溶着部は、任意の長さで形成することができ、ボールペン等の別体小物を差し入れるための開口窓として使用することができる。その結果、被包装物と別体小物とが一緒に包装可能に構成され、別体小物が被包装物の平坦面上で移動可能であるような包装体を得ることができる。
【００１６】
別の局面では、この発明の包装方法は、
被包装物が装填されたフィルム帯状体を搬送する搬送工程と、
前記フィルム帯状体の折り合わせ部において搬送方向に沿って溶着部を形成する溶着工程と、
搬送方向の直交方向に前記フィルム帯状体を溶断する溶断工程と、を備えて、前記フィルム帯状体の中に前記被包装物が包装された包装体を作成する包装方法において、
前記折り合わせ部において前記溶着部が形成される予定の予定溶着部に沿った所望の場所に、溶着されない非溶着部を形成する非溶着工程を、さらに備える。
【００１７】
この発明の包装方法では、非溶着部は、任意の長さで形成することができ、ボールペン等の別体小物を差し入れるための開口窓として使用することができる。その結果、被包装物と別体小物とが一緒に包装可能に構成され、別体小物が被包装物の平坦面上で移動可能であるような包装体を得ることができる。
【発明の効果】
【００１８】
したがって、この発明の包装装置及び包装方法は、非溶着部を通じて別体小物を包装体の中に差し入れることができるので、被包装物と別体小物とが一緒に包装可能に構成され、別体小物が被包装物の平坦面上で移動可能であるような包装体を提供することを可能にする。
【図面の簡単な説明】
【００１９】
【図１】この発明に係る包装装置の平面図である。
【図２】図１に示した包装装置の搬送方向断面図である。
【図３Ａ】図２に示した包装装置の動作を説明する概略図である。
【図３Ｂ】図２に示した包装装置の動作を説明する概略図である。
【図３Ｃ】図２に示した包装装置の動作を説明する概略図である。
【図３Ｄ】図２に示した包装装置の動作を説明する概略図である。
【図３Ｅ】図２に示した包装装置の動作を説明する概略図である。
【図３Ｆ】図２に示した包装装置の動作を説明する概略図である。
【図３Ｇ】図２に示した包装装置の動作を説明する概略図である。
【図３Ｈ】図２に示した包装装置の動作を説明する概略図である。
【図３Ｉ】図２に示した包装装置の動作を説明する概略図である。
【図３Ｊ】図２に示した包装装置の動作を説明する概略図である。
【図３Ｋ】図２に示した包装装置の動作を説明する概略図である。
【図３Ｌ】図２に示した包装装置の動作を説明する概略図である。
【図３Ｍ】図２に示した包装装置の動作を説明する概略図である。
【図３Ｎ】図２に示した包装装置の動作を説明する概略図である。
【図３Ｏ】図２に示した包装装置の動作を説明する概略図である。
【図４】包装体の包装方法を説明する模式図である。
【図５】包装方法における溶着及び溶断の手順を説明するフローチャートである。
【図６】包装体の使用形態を例示する図である。
【発明を実施するための形態】
【００２０】
以下に、図１乃至６を参照しながら、この発明に係る、樹脂製のフィルム帯状体１０１の中に被包装物１１０が包装された包装体１を作成するための包装装置１０及び包装方法の一実施形態について説明する。説明の都合上、被包装物１１０が搬送される搬送方向Ｘの下流側を「前方」又は単に「前」、搬送方向Ｘの上流側を「後方」又は単に「後」として呼ぶことがある。
【００２１】
この明細書や特許請求の範囲において、包装体１は、ポリエチレンやポリプロピレン等の熱溶着可能な樹脂製のフィルム帯状体１０１の中に、被包装物１１０や別体小物１０２が包装されるものである。被包装物１１０は、一般的に、雑誌やカタログやパンフレットのような平坦な紙類であり、搬送方向Ｘに沿って延在する面が、平坦面１１１（図４及び６に図示）を形作っている。また、ボールペンや健康食品等の記念品や販促品や試供品のような、被包装物１１０とは別体であり且つ被包装物１１０よりも小さな物品が、別体小物１０２（図６に図示）である。
【００２２】
図１は、この発明に係る包装装置１０の平面図である。包装装置１０の上部には、搬送方向Ｘの上流側から下流側に向かって順に、被包装物１１０（図４に図示）が装填される供給部１２と、被包装物１１０がフィルム帯状体１０１で包装される包装部１３と、被包装物１１０が包装された包装体１が排出される排出部１４と、が配置されている。また、包装装置１０内には、包装装置１０を構成する各ユニットの動作を制御する制御部（図示せず）が配置されている。また、包装装置１０の下部には、図４に図示するような、被包装物１１０を包装する樹脂製（例えば、ポリエチレンやポリプロピレン等からなる）のフィルム帯状体１０１が巻回されたシートロール１００が配置されている。シートロール１００は、支持ローラによって回動自在に支持されており、帯状のフィルム帯状体１０１が、フィルム折り部材２１に向けて上方に引き出されるようになっている。
【００２３】
制御部としてのＣＰＵ（中央処理演算装置）は、入力操作部や出力表示部が配置された操作パネルや、各ユニットの動作を制御する制御プログラム等を記憶したＲＯＭ（リード・オンリー・メモリ：フラッシュＲＯＭ）や、種々のデータを一時的に記憶するＲＡＭ（ランダム・アクセス・メモリやハードディスク）や、各種の入出力装置等の動作を制御する。制御部としてのＣＰＵ（中央処理演算装置）は、溶着ローラ３１、第１従動ローラ４１、溶断刃５１及び第２従動ローラ６１の上下方向の各移動動作と、第１駆動ローラ４２及び第２駆動ローラ６２の各回動動作と、を独立して制御する。
【００２４】
図２は、図１に示した包装装置１０の搬送方向断面図である。フィルム折り部材２１の搬送方向Ｘの下流側には、包装部１３が配設されている。包装部１３は、包装装置１０における上方部分に配置されていて、搬送方向Ｘの上流側から下流側に向けて順に、溶着ユニット３０と、第１搬送ユニット４０と、溶断ユニット５０と、第２搬送ユニット６０と、を備えている。溶着ユニット３０や第１搬送ユニット４０や溶断ユニット５０や第２搬送ユニット６０は、同一又は類似した形状をしている。上方に配置された包装部１３の全体が包装装置１０のフレームに対して開閉自在に構成されている（例えば、包装部１３がヒンジによって回動自在に支持されている）ので、万が一、フィルム帯状体１０１や包装体１（以下、包装体１等という。）が搬送面１３１で詰まっても、包装部１３を開くことにより包装体１等を容易に取り除くことができる。また、各ユニットの点検や交換・保守も容易である。
【００２５】
なお、第１搬送ユニット４０と溶断ユニット５０との間には、センサ５２が配設されている。センサ５２は、発光部及び受光部を有する光学式のセンサであり、発光部からの光が被包装物１１０によって遮光されたか否かを受光部で検出することによって、搬送方向Ｘに移動する被包装物１１０の前端部や後端部を検出することができる。
【００２６】
フィルム折り部材２１は、図４に示すように、フィルム帯状体１０１の左右の側端部１ｇを折り返し、側端部１ｇ同士が重ね合わされることによって折り合わせ部１ｈがフィルム帯状体１０１に形成されるように構成されている。
【００２７】
溶着ユニット３０は、ラック・アンド・ピニオンによって上下方向に移動可能に構成された溶着ローラ（溶着部材）３１を備える。溶着ローラ３１は、周りよりも径方向外側に突出した溶着刃を有する。制御部は、溶着プラテン３５の上で支持されている折り合わせ部１ｈに対して、加熱された溶着ローラ３１が押し付けられるように、溶着ローラ３１の下方移動を制御する。その結果、折り合わせ部１ｈでの予定溶着部１ｍ（図６に図示）が熱で溶着されることによって、搬送方向Ｘに沿った溶着部１ｃ，１ｄが形成される。すなわち、予定溶着部１ｍを溶着ローラ３１の熱で溶着することによって、図６に示すような前方溶着部１ｃや後方溶着部１ｄのような溶着部が形成される。
【００２８】
第１搬送ユニット４０は、ラック・アンド・ピニオンによって上下方向に移動可能に構成された第１従動ローラ４１と、第１駆動ローラ４２と、を備え、第１従動ローラ４１及び第１駆動ローラ４２によって挟持されたフィルム帯状体１０１を前方の溶断ユニット５０に搬送するようになっている。
【００２９】
溶断ユニット５０は、ラック・アンド・ピニオンによって上下方向に移動可能に構成された溶断刃（溶断部材）５１を備え、加熱された溶断刃５１によって、溶着された折り合わせ部１ｈを有するフィルム帯状体１０１を搬送方向Ｘに対して直交する方向に溶断する。その結果、フィルム帯状体１０１の前端及び後端が溶断されて、図６に示すように、前方溶断端１ａ及び後方溶断端１ｂを有する包装体１が形成される。
【００３０】
第２搬送ユニット６０は、ラック・アンド・ピニオンによって上下方向に移動可能に構成された第２従動ローラ６１と、第２駆動ローラ６２と、を備え、第２従動ローラ６１及び第２駆動ローラ６２によって挟持されたフィルム帯状体１０１を排出部１４に搬送するようになっている。
【００３１】
図３Ａ乃至図３Ｏは、包装部１３における溶着ローラ３１、第１従動ローラ４１、溶断刃５１及び第２従動ローラ６１の各動作を説明する概略図である。以下、図３Ａ乃至図３Ｏを用いて、包装部１３での動作を説明する。なお、図３Ａ乃至図３Ｆは、初期のフィルム帯状体１０１から袋状のフィルム帯状体１０１を予め作成する準備段階での動作を説明する図であり、図３Ｇ乃至図３Ｏは、袋状のフィルム帯状体１０１を用いて被包装物１１０を包装する包装動作を説明する図である。
【００３２】
図３Ａに示されるように、フィルム折り部材２１によって側端部１ｇ同士が重ねられることによって、折り合わせ部１ｈがフィルム帯状体１０１に形成される。当該フィルム帯状体１０１の下面が、包装部１３の搬送面１３１に配置される。フィルム帯状体１０１の折り合わせ部１ｈが、溶着プラテン３５の上に配置される。
【００３３】
次に、図３Ｂに示されるように、第１搬送ユニット４０の第１従動ローラ４１が下方に移動し、フィルム帯状体１０１は、第１従動ローラ４１及び第１駆動ローラ４２によって挟持される。その後、折り合わせ部１ｈでの溶着を行うために、溶着ユニット３０の溶着ローラ３１が、下方に移動し、溶着プラテン３５の上で支持されている折り合わせ部１ｈに当接する。そして、折り合わせ部１ｈで溶着されたフィルム帯状体１０１は、第１従動ローラ４１及び第１駆動ローラ４２によって挟持されながら前方に搬送される。前方への搬送過程で、溶着ローラ３１によって折り合わせ部１ｈの前方部分（前方溶着部１ｃに対応する部分）が溶着される。ここで、第１駆動ローラ４２は、例えば、反時計方向に回動する。
【００３４】
フィルム帯状体１０１が或る長さだけ前方に搬送されると、図３Ｃに示されるように、第２搬送ユニット６０の第２従動ローラ６１が下方に移動し、フィルム帯状体１０１は、第２従動ローラ６１及び第２駆動ローラ６２によって挟持され、その後、第１従動ローラ４１が上方に移動する。すなわち、フィルム帯状体１０１は、第１従動ローラ４１及び第１駆動ローラ４２から、第２従動ローラ６１及び第２駆動ローラ６２に受け渡される。そして、フィルム帯状体１０１は、第２従動ローラ６１及び第２駆動ローラ６２によって挟持されながら前方に搬送される。ここで、第２駆動ローラ６２は、例えば、反時計方向に回動する。
【００３５】
次に、溶着ローラ３１が上方に移動することによって、折り合わせ部１ｈにおける前方部分（前方溶着部１ｃに対応する部分）の溶着が完了すると、図３Ｄに示されるように、第２従動ローラ６１及び第２駆動ローラ６２は、フィルム帯状体１０１の搬送を停止する。そして、溶断ユニット５０の溶断刃５１が下方に移動し、フィルム帯状体１０１を溶断して、フィルム帯状体１０１の前方溶断端１ａ（搬送方向Ｘの下流側の溶断部）が形成される。なお、溶断ユニット５０の溶断刃５１が下方に移動する直前に、第２従動ローラ６１が上昇するように構成してもよい。そうすれば、溶断時において、フィルム帯状体１０１に皺が発生することを効果的に防ぐことができる。また、溶着ユニット３０の溶着ローラ３１が下方に移動してフィルム帯状体１０１に当接する直前に、フィルム帯状体１０１を搬送するように構成してもよい。そうすれば、溶着時において、フィルム帯状体１０１での穴開きが発生することを効果的に防ぐことができる。
【００３６】
次に、図３Ｅに示されるように、溶断刃５１が上方に移動し、その後、図３Ｆに示されるように、第２従動ローラ６１及び第２駆動ローラ６２が、溶断されたフィルム帯状体１０１の搬送方向Ｘの下流側の部分（不要なフィルムシート体）を前方に搬送して、包装部１３の搬送面１３１から除去する。そして、第２従動ローラ６１が上方に移動する。その結果、前方溶断端１ａと前方溶着部１ｃとによって前方が袋状に構成されたフィルム帯状体１０１が作成される。以上のプロセスにより、初期のフィルム帯状体１０１から、被包装物１１０を包装するための袋状のフィルム帯状体１０１を予め作成するという準備動作が完了する。
【００３７】
次に、図３Ｇに示されるように、前方溶断端１ａと前方溶着部１ｃとによって前方が袋状に構成されたフィルム帯状体１０１の中に被包装物１１０が装填される。そして、センサ５２が被包装物１１０の前端部（搬送方向Ｘの下流側の端部）を検出すると、図３Ｈに示されるように、第１従動ローラ４１が下方に移動し、被包装物１１０の装填されたフィルム帯状体１０１は、第１従動ローラ４１及び第１駆動ローラ４２によって挟持される。
【００３８】
次に、図３Ｉに示されるように、溶着ローラ３１が下方に移動してフィルム帯状体１０１に当接する。そして、被包装物１１０の装填されたフィルム帯状体１０１は、第１従動ローラ４１及び第１駆動ローラ４２によって挟持されながら前方に搬送されると、溶着ローラ３１によって折り合わせ部１ｈが溶着される。
【００３９】
図３Ｉにおいて、フィルム帯状体１０１が第１従動ローラ４１及び第１駆動ローラ４２によって前方に搬送されるのと略同時に、加熱された溶着ローラ３１がフィルム帯状体１０１に当接すると、前方溶着部１ｃに続いて後方溶着部１ｄが形成される。しかしながら、フィルム帯状体１０１が前方に搬送されてから或る時間が経過した後に、加熱された溶着ローラ３１がフィルム帯状体１０１に当接すると、フィルム帯状体１０１の前方搬送開始時点から溶着ローラ３１のフィルム帯状体１０１への当接開始時点までの遅延時間に応じて、或る非溶着長さを持った非溶着部１ｆ（図４，６に図示）が形成される。
【００４０】
したがって、図３Ｉにおいて、フィルム帯状体１０１の前方搬送の開始のタイミングと、溶着ローラ３１のフィルム帯状体１０１への当接開始のタイミングとを制御することによって、前方溶着部１ｃに続く溶着部１ｄの形成又は非溶着部１ｆの形成を制御することができる。すなわち、フィルム帯状体１０１への溶着ローラ３１の当接及び離間のタイミングを制御することにより、前方溶着部１ｃに続いて後方溶着部１ｄが形成される場合と、前方溶着部１ｃに続いて非溶着部１ｆが形成される場合と、に切り替えることができる。非溶着部１ｆが、或る包装体１よりも１つ前の包装体１の後端部を溶断したときに事前に形成される前方溶着部１ｃに続けて形成され、当該非溶着部１ｆに続けて後方溶着部１ｄがさらに形成される。図４，６に示すように、搬送方向Ｘに沿って延びる予定溶着部１ｍの上には、前方溶着部１ｃと非溶着部１ｆと後方溶着部１ｄとが順次形成することができる。なお、予定溶着部１ｍの上において、前方溶着部１ｃを省略して非溶着部１ｆと後方溶着部１ｄとを連続的に形成する場合や、後方溶着部１ｄを省略して前方溶着部１ｃと非溶着部１ｆとを連続的に形成する場合も可能である。
【００４１】
図３Ｊに示されるように、被包装物１１０の装填されたフィルム帯状体１０１が或る長さだけ前方に搬送されると、図３Ｋに示されるように、第２従動ローラ６１が下方に移動する。その結果、被包装物１１０の装填されたフィルム帯状体１０１は、第２従動ローラ６１及び第２駆動ローラ６２によって挟持され、その後、第１従動ローラ４１が上方に移動する。そして、被包装物１１０の装填されたフィルム帯状体１０１は、第２従動ローラ６１及び第２駆動ローラ６２によって挟持されながら前方に搬送される。
【００４２】
次に、センサ５２が被包装物１１０の後端部（搬送方向Ｘの上流側の端部）を検出すると、図３Ｌに示されるように、被包装物１１０の装填されたフィルム帯状体１０１は、第２従動ローラ６１及び第２駆動ローラ６２によってさらに或る長さだけ前方に搬送され、被包装物１１０の後端部が溶断刃５１よりも前方に位置する。それと同時に、溶着ローラ３１が上方に移動する。
【００４３】
次に、図３Ｍに示されるように、溶断刃５１が下方に移動し、被包装物１１０の装填されたフィルム帯状体１０１を溶断して、被包装物１１０の装填されたフィルム帯状体１０１において、後方溶断端１ｂ（搬送方向Ｘの上流側の溶断部）が形成される。その結果、被包装物１１０がフィルム帯状体１０１の中に包装された包装体１が作成される。それと同時に、次のフィルム帯状体１０１の前方溶断端１ａ（搬送方向Ｘの下流側の溶断部）も形成される。
【００４４】
次に、図３Ｎに示されるように、包装体１は、第２従動ローラ６１及び第２駆動ローラ６２によって挟持されながら前方に搬送される。そして、図３Ｏに示されるように、第２従動ローラ６１が上方に移動する。
【００４５】
以後、図３Ｇ乃至図３Ｏの動作を繰り返すことによって、被包装物１１０がフィルム帯状体１０１の中に包装された包装体１が形成される。
【００４６】
次に、この発明の一実施形態に係る包装体１の包装方法について、図４乃至６を参照しながら詳細且つ具体的に説明する。
【００４７】
図５において、被包装物１１０が、前方溶断端１ａと前方溶着部１ｃとによって前方が袋状に構成されたフィルム帯状体１０１の中に装填される（ステップＳ１０）。
【００４８】
被包装物１１０が前方溶断端１ａの方まで装填されているか否かを検出するために、センサ５２が被包装物１１０の前端部（搬送方向Ｘの下流側の端部）を検出しているか否かを制御部が判断する（ステップＳ１２）。センサ５２が被包装物１１０の前端部を検出していない場合、制御部がエラーに関する報知を行って、被包装物１１０を前方溶断端１ａの方までさらに差し入れることを使用者に促す。センサ５２が被包装物１１０の前端部を検出しないと、溶着ローラ３１、第１従動ローラ４１、溶断刃５１、第２従動ローラ６１、第１駆動ローラ４２及び第２駆動ローラ６２等は、動作しない。
【００４９】
センサ５２が被包装物１１０の前端部を検出すると、第１従動ローラ４１が下降する（ステップＳ１４）。第１従動ローラ４１の下降により、被包装物１１０の装填されたフィルム帯状体１０１が、第１従動ローラ４１及び第１駆動ローラ４２で形成されるニップ部によって挟持されて、前方に搬送される。被包装物１１０の装填されたフィルム帯状体１０１が、或る非溶着長さで搬送されたか否かを制御部が判断する（ステップＳ１８）。被包装物１１０の装填されたフィルム帯状体１０１が、或る非溶着長さで搬送されていないならば、或る非溶着長さで搬送されるまで、前方に搬送される。なお、被包装物１１０の装填されたフィルム帯状体１０１が第１従動ローラ４１及び第１駆動ローラ４２のニップ部によって挟持された時点から、加熱された溶着ローラ３１が下降してフィルム帯状体１０１に当接する時点までの間に、前方溶着部１ｃに続く非溶着部１ｆが、予定溶着部１ｍに沿って形成される。
【００５０】
被包装物１１０の装填されたフィルム帯状体１０１が、或る非溶着長さで搬送されると、加熱された溶着ローラ３１が下降して、溶着動作を開始する（ステップＳ２０）。すなわち、加熱された溶着ローラ３１が折り合わせ部１ｈに当接することにより、非溶着部１ｆに続く後方溶着部１ｄが、予定溶着部１ｍに沿って形成される。
【００５１】
フィルム帯状体１０１の中に装填された被包装物１１０の前端部が、第２従動ローラ６１及び第２駆動ローラ６２で形成されるニップ部のところまで搬送されて、被包装物１１０が第２従動ローラ６１及び第２駆動ローラ６２のニップ部のところに受け渡される（ステップＳ２２）。被包装物１１０の前端部が第２従動ローラ６１及び第２駆動ローラ６２のところに搬送されると、第２従動ローラ６１が下降する（ステップＳ２４）。その結果、被包装物１１０の装填されたフィルム帯状体１０１は、第２従動ローラ６１及び第２駆動ローラ６２のニップ部によって挟持される。その後、第１従動ローラ４１が上昇して（ステップＳ２６）、第１従動ローラ４１及び第１駆動ローラ４２のニップ部によるニップを解除する。その結果、被包装物１１０の装填されたフィルム帯状体１０１は、第２従動ローラ６１及び第２駆動ローラ６２のニップ部によって前方に搬送される。
【００５２】
次に、センサ５２が被包装物１１０の後端部（搬送方向Ｘの上流側の端部）を検出したか否かを制御部が判断する（ステップＳ２８）。センサ５２が被包装物１１０の後端部を検出するまで、被包装物１１０の装填されたフィルム帯状体１０１は、第２従動ローラ６１及び第２駆動ローラ６２のニップ部によって前方に搬送される。センサ５２が被包装物１１０の後端部を検出すると、被包装物１１０の装填されたフィルム帯状体１０１は、被包装物１１０の後端部が溶断刃５１よりも前方に位置するように、第２従動ローラ６１及び第２駆動ローラ６２によって、或る後端側溶着長さで前方に搬送される（ステップＳ３０）。被包装物１１０の装填されたフィルム帯状体１０１が或る後端側溶着長さで搬送されるのが完了したのと同時に、溶着ローラ３１が上昇して（ステップＳ３２）、溶着動作を終了する。ステップＳ２０での溶着動作の開始から、ステップＳ３２での溶着動作の終了までの間に、被包装物１１０の装填されたフィルム帯状体１０１についての後方溶着部１ｄと、次のフィルム帯状体１０１についての前方溶着部１ｃとが、折り合わせ部１ｈにおいて搬送方向Ｘに延びる予定溶着部１ｍの上に形成される。
【００５３】
第２従動ローラ６１が上昇して（ステップＳ３４）、被包装物１１０の装填されたフィルム帯状体１０１が、第１従動ローラ４１及び第１駆動ローラ４２のニップ部によって挟持されることを解除して、前方への搬送動作を一時的に停止する。次に、溶断刃５１が下降して、被包装物１１０の装填されたフィルム帯状体１０１を溶断する（ステップＳ３６）。当該溶断によって、被包装物１１０の装填されたフィルム帯状体１０１では後方溶断端１ｂ（搬送方向Ｘの上流側の溶断部）が形成される。その結果、被包装物１１０の装填されたフィルム帯状体１０１は、被包装物１１０がフィルム帯状体１０１の中に包装された包装体１となる。それとともに、次のフィルム帯状体１０１として、前方溶断端１ａ及び前方溶着部１ｃを有する袋状のフィルム帯状体１０１が形成されている。
【００５４】
第２従動ローラ６１が下降して（ステップＳ３８）、包装体１について第２従動ローラ６１及び第２駆動ローラ６２のニップ部による前方への搬送を再開する。そして、包装体１が排出部１４に排出される（ステップＳ４０）。その後、第２従動ローラ６１が上昇して（ステップＳ４２）、前方への搬送動作を一時的に停止して、一連の搬送、溶着、溶断の各動作が完了する。
【００５５】
以後、上述した動作を繰り返すことによって、被包装物１１０がフィルム帯状体１０１の中に包装された包装体１が順次作成される。
【００５６】
図６は、上述した包装方法によって作成された包装体１を示している。図６に示すように、包装体１は、溶断によって形成された前方溶断端１ａ及び後方溶断端１ｂと、フィルム帯状体１０１の側端部１ｇ同士を重ね合わせることによって形成された折り合わせ部１ｈと、を有する。折り合わせ部１ｈにおいて搬送方向Ｘに延びる予定溶着部１ｍの上には、前方溶着部１ｃ及び後方溶着部１ｄと、前方溶着部１ｃ及び後方溶着部１ｄの間に形成された非溶着部１ｆとが、形成されている。
【００５７】
前方溶着部１ｃの終端位置及び後方溶着部１ｄの始端位置を制御することにより、すなわち、フィルム帯状体１０１に対する溶着ローラ３１の当接及び離間のタイミングを制御することにより、予定溶着部１ｍにおける非溶着部１ｆの配設場所や搬送方向Ｘの長さを任意に制御することができる。好適には、折り合わせ部１ｈでの溶着を安定させるために、非溶着部１ｆが、被包装物１１０の平坦面１１１に対面する部分に形成される。
【００５８】
図６に示すように、包装体１の非溶着部１ｆは、ボールペン等の別体小物１０２の長手方向に直交する断面形状に応じて形成された開口長さを有して、別体小物１０２を差し入れるための開口窓として使用することができる。非溶着部１ｆを通じて別体小物１０２が差し入れられると、被包装物１１０と別体小物１０２とが一緒に包装され、別体小物１０２が被包装物１１０の平坦面１１１の上で移動可能であるような包装体１を得ることができる。
【００５９】
なお、上記のような非溶着部１ｆを通じて別体小物１０２の差し入れられた包装体１を展示会等でその場で配布する場合には、非溶着部１ｆを閉じることを特に必要としない。しかしながら、非溶着部１ｆを通じて別体小物１０２の差し入れられた包装体１を配送事業者を用いて配送する場合には、非溶着部１ｆが所定の大きさ以上で開口していないような処理を施しておくことが求められることがある。その場合、非溶着部１ｆを有する包装体１を作成した後に、非溶着部１ｆを接着するための事後接着手段や事後接着工程を備えることができる。
【００６０】
非溶着部１ｆの非溶着長さが所定長さ以上である場合には、例えば、事後接着手段としての接着テープや接着剤を用いて、非溶着部１ｆを全部又は部分的に閉止する処理が行われる。あるいは、事後接着手段としてのハンドシーラー又はハンディシーラーを包装装置１０の付属品として包装装置１０の前方側（搬送方向Ｘの下流側）に配設して、ハンドシーラー等を用いて、非溶着部１ｆを全部又は部分的に溶着するようにしてもよい。
【００６１】
また、包装体１の非溶着部１ｆは、上記のように、別体小物１０２を差し入れるための開口窓として用いられるが、配送時の積み重ねによって袋状の包装体１が破裂してしまうことを防止するための空気抜きとしても利用することができる。また、包装体１の非溶着部１ｆは、その中に指を差し入れることで包装体１を開きやすくする開口導入部としても利用することができる。
【００６２】
さらに、非溶着部１ｆの配設場所や搬送方向Ｘの長さに関して、操作パネルの入力操作部を通じて、使用者の望む任意の数値が入力可能であるように構成することもできる。
【００６３】
（この実施形態の作用効果）
したがって、この発明の包装装置１０及び包装方法によれば、
（１）折り合わせ部１ｈにおいて溶着部１ｃ，１ｄが形成される予定の予定溶着部１ｍに沿った所望の場所に、溶着されない非溶着部１ｆが形成され、当該非溶着部１ｆは、任意の長さで形成することができ、非溶着部１ｆを通じて別体小物１０２を差し入れることができる。その結果、被包装物１１０と別体小物１０２とが一緒に包装され、別体小物１０２が被包装物１１０の平坦面１１１の上で移動可能であるような包装体１を提供することができる。
【００６４】
（２）フィルム帯状体１０１に対する溶着ローラ３１の当接及び離間のタイミングを制御することにより、非溶着部１ｆが形成されるので、非溶着部１ｆの形成が容易であり且つ正確である。
【００６５】
（３）非溶着部１ｆが、被包装物１１０の平坦面１１１に対面する部分に形成されることにより、折り合わせ部１ｈでの溶着を安定させることができる。
【００６６】
（４）非溶着部１ｆが、或る包装体よりも１つ前の包装体の後端を溶断したときに事前に形成される前方溶着部１ｃに続けて形成されるので、非溶着部１ｆを形成するための制御が簡略化される。
【００６７】
（５）非溶着部１ｆを有する包装体１を作成した後に、非溶着部１ｆを接着する事後接着手段を備えることにより、非溶着部１ｆを全部又は部分的に閉じて、別体小物１０２の装填された包装体１を配送に供することができる。
【００６８】
なお、この発明を理解しやすくするために、具体的な構成や材料を示して説明したが、これらはあくまでも例示であって、この発明の技術的範囲を限定するものではない。この発明の技術的範囲内において、種々の実施形態や変形例を構成することができることは、当業者には明らかである。
【符号の説明】
【００６９】
１：包装体
１ａ：前方溶断端
１ｂ：後方溶断端
１ｃ：前方溶着部（溶着部）
１ｄ：後方溶着部（溶着部）
１ｆ：非溶着部
１ｈ：折り合わせ部
１ｍ：予定溶着部
１０：包装装置
３０：溶着ユニット（溶着機構）
３１：溶着ローラ（溶着部材）
４０：第１搬送ユニット（搬送機構）
５０：溶断ユニット（溶断機構）
５１：溶断刃（溶断部材）
５２：センサ
６０：第２搬送ユニット（搬送機構）
１０１：フィルム帯状体
１０２：別体小物
１１０：被包装物
１１１：平坦面
Ｘ：搬送方向
【図１】
2015151149.tif 000003
【図２】
2015151149.tif 000004
【図３Ａ】
2015151149.tif 000005
【図３Ｂ】
2015151149.tif 000006
【図３Ｃ】
2015151149.tif 000007
【図３Ｄ】
2015151149.tif 000008
【図３Ｅ】
2015151149.tif 000009
【図３Ｆ】
2015151149.tif 000010
【図３Ｇ】
2015151149.tif 000011
【図３Ｈ】
2015151149.tif 000012
【図３Ｉ】
2015151149.tif 000013
【図３Ｊ】
2015151149.tif 000014
【図３Ｋ】
2015151149.tif 000015
【図３Ｌ】
2015151149.tif 000016
【図３Ｍ】
2015151149.tif 000017
【図３Ｎ】
2015151149.tif 000018
【図３Ｏ】
2015151149.tif 000019
【図４】
2015151149.tif 000020
【図５】
2015151149.tif 000021
【図６】
2015151149.tif 000022